(57)【要約】【課題】簡素な構成により、電源非投入時にも円滑に現在使用状態にあるランプ（光源）を判別可能にする。【解決手段】ミラーの回動に伴って指し示す方向が回動する指示部（切り欠き５０２ｇ）をミラーの回動軸（軸５０２ａ）に配するとともに指示部（切り欠き５０２ｇ）をキャビネット１の外部から見える状態で配置する。キャビネット１の外側面の指示部（切り欠き５０２ｇ）の近傍に、ランプユニット１０ａ、１０ｂの何れが使用状態にあるかを示す表示部１ｅ、１ｆを配置する。切り欠き５０２ｇは、ランプユニット１０ａが使用状態にあるときは表示部１ｅを指し示し、ランプユニット１０ｂが使用状態にあるときは表示部１ｆを指し示す【選択図】図８
2010135153.tif 000002
【特許請求の範囲】
【請求項１】
第１の光束を発する第１の光源と、
第２の光束を発するとともに前記第２の光束が前記第１の光束に重なるように配置された第２の光源と、
前記第１の光束と前記第２の光束が重なった位置に配置され前記第１の光束を目標方向に反射する第１の位置と前記第２の光束を前記目標方向に反射する第２の位置との間でミラーを回動可能なミラーユニットと、
前記第１の光源、前記第２の光源および前記ミラーユニットを収容するキャビネットと、を備え、
前記ミラーの回動に伴って指し示す方向が回動する指示部を前記ミラーの回動軸に配するとともに前記指示部を前記キャビネットの外部から見える状態で配置し、
前記キャビネットの外側面の、前記ミラーが前記第１の位置と前記第２の位置にあるときにそれぞれ前記指示部によって指し示される２つの位置に、それぞれ、前記第１の光源と前記第２の光源を特定する第１の表示と第２の表示がなされている、
ことを特徴とする照明装置。
【請求項２】
請求項１に記載の照明装置において、
前記指示部は、前記回動軸の先端に所定の形状を付することにより構成されている、
ことを特徴とする照明装置。
【請求項３】
請求項１に記載の照明装置において、
前記指示部は、前記回動軸の先端に指示部材を装着することにより構成されている、
ことを特徴とする照明装置。
【請求項４】
請求項１ないし３に記載の照明装置において、
前記キャビネットには、前記第１の光源と前記第２の光源をそれぞれ着脱可能に収容する第１の収容部と第２の収容部が形成されるとともに、これら第１の収容部と第２の収容部を同時に覆う蓋が配され、
前記蓋によって覆われる位置に、前記指示部と前記第１の表示および前記第２の表示が配されている、
ことを特徴とする照明装置。
【請求項５】
請求項１ないし４の何れか一項に記載の照明装置と、
前記照明装置によって生成された照明光を映像信号に応じて変調する変調素子と、
前記照明装置からの照明光を前記変調素子へと導く導光光学系と、を備える、
ことを特徴とする映像表示装置。
【請求項６】
第１の位置と第２の位置との間で回動可能なミラーと、
前記ミラーの回動軸に配され、前記ミラーの回動に伴って指し示す方向が回動する指示部と、を有する、
ことを特徴とするミラーユニット。
【発明の詳細な説明】
【技術分野】
【０００１】
本発明は、照明装置、当該照明装置を搭載する映像表示装置および前記照明装置に用いて好適なミラーユニットに関し、特に、使用される光源を切り替え可能とする場合に用いて好適なものである。
【背景技術】
【０００２】
現在、画像をスクリーンに拡大投写する投写型の映像表示装置（以下、「プロジェクタ」という）が商品化され広く普及している。かかるプロジェクタでは、一般に、光源としてランプが使用されており、ランプからの光が光変調素子によって変調されてスクリーンに投写される。
【０００３】
この場合、投写動作の途中でランプが切れると、画像の表示が中断されてしまう。このような不都合を回避するために、２つのランプを予め配しておき、使用中のランプが切れたときには、残りのランプを使用するようにしたプロジェクタが提案されている（たとえば、特許文献１、２）。
【０００４】
この構成では、２つのランプが互いに対向するように配され、これらランプの間にミラーユニットが配されている。ミラーユニットには、ミラーが回動可能に配されている。第１のランプが使用されるときには、ミラーが第１のランプに向く第１の位置に位置づけられ、第２のランプが使用されるときには、ミラーが第２のランプに向く第２の位置に位置づけられる。
【特許文献１】特開平２−２５７１９２号公報
【特許文献２】特開平４−１０４５８３号公報
【発明の開示】
【発明が解決しようとする課題】
【０００５】
このようにミラーを用いてランプを切り替える場合には、現在使用中のランプを識別可能にする必要がある。たとえば、ランプ交換時にユーザは、先の投写状態をもとに現在使用していないランプを交換しようとする。ここで、現在、何れのランプが使用状態にあるかは、ＬＥＤの点灯や投写画面上の表示によってユーザに報知され得る。ところが、ランプ交換時には通常電源がＯＦＦ状態にあるため、このような報知形態では、ユーザは一旦電源を投入しなければ現在使用状態にあるランプを識別できない。前回のプロジェクタ動作時からランプ交換時までの期間が長いと、ユーザは、何れのランプを交換しようとしていたか忘れてしまう。よって、いざランプを交換しようとしても、現在使用中のランプを即座に判別できないため、円滑にランプ交換を行うことができない。
【０００６】
本発明は、かかる問題を解消しようとするものであって、簡素な構成により、電源非投入時にも円滑に現在使用状態にあるランプ（光源）を判別可能にすることを目的とする。
【課題を解決するための手段】
【０００７】
本発明の第１の態様は、照明装置に関する。本態様に係る照明装置は、第１の光束を発する第１の光源と、第２の光束を発するとともに前記第２の光束が前記第１の光束に重なるように配置された第２の光源と、前記第１の光束と前記第２の光束が重なった位置に配置され前記第１の光束を目標方向に反射する第１の位置と前記第２の光束を前記目標方向に反射する第２の位置との間でミラーを回動可能なミラーユニットと、前記第１の光源、前記第２の光源および前記ミラーユニットを収容するキャビネットとを備える。また、前記ミラーの回動に伴って指し示す方向が回動する指示部が前記ミラーの回動軸に配され、この指示部が前記キャビネットの外部から見える状態で配置されている。そして、前記キャビネットの外側面の、前記ミラーが前記第１の位置と前記第２の位置にあるときにそれぞれ前記指示部によって指し示される２つの位置に、それぞれ、前記第１の光源と前記第２の光源を特定する第１の表示と第２の表示がなされている。
【０００８】
この態様に係る照明装置によれば、指示部が第１の表示と第２の表示の何れを指示しているかによって使用状態にある光源が特定されるため、ユーザは、電源を投入せずとも、現在使用状態にある光源を容易に識別することができる。また、指示部をミラーの回動軸に配するといった簡素な構成にて、かかる効果を実現することができる。
【０００９】
第１の態様に係る照明装置において、前記指示部は、前記回動軸の先端に加工を付することにより構成され得る。こうすると、部品点数の増加なく指示部を構成することができる。
【００１０】
また、第１の態様に係る照明装置において、前記指示部は、前記回動軸の先端に指示部材を装着することにより構成され得る。こうすると、部品点数は増加するものの指示部材によって円滑かつ確実に、現在使用状態にある光源をユーザに報知することができる。
【００１１】
また、第１の態様に係る照明装置において、前記キャビネットには、前記第１の光源と前記第２の光源をそれぞれ着脱可能に収容する第１の収容部と第２の収容部が形成され、これら第１の収容部と第２の収容部を同時に覆う蓋が配され得る。このとき、この蓋によって覆われる位置に、前記指示部と前記第１の表示および前記第２の表示が配される構成とされ得る。こうすると、ユーザは、光源交換時に蓋を開けることを契機として指示部を見ることができ、ランプ交換時に円滑に現在使用状態にある光源を知ることができる。
【００１２】
本発明の第２の態様は、映像表示装置に関する。本態様に係る映像表示装置は、上記構成を有する照明装置と、前記照明装置によって生成された照明光を映像信号に応じて変調する変調素子と、前記照明装置からの照明光を前記変調素子へと導く導光光学系とを備える。本態様に係る映像表示装置によれば、上記第１の態様に係る照明装置による効果を奏することができる。
【００１３】
本発明の第３の態様は、ミラーユニットに関する。本態様に係るミラーユニットは、上記第１の態様に係る照明装置に記載のミラーユニットの構成を備える。よって、本態様に係るミラーユニットを用いれば、上記第１の態様について述べたと同様の効果が奏され得る。
【発明の効果】
【００１４】
以上のとおり本発明によれば、簡素な構成により、電源非投入時にも円滑に現在使用状態にある光源を判別可能とすることができる。
【００１５】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【発明を実施するための最良の形態】
【００１６】
以下、図面を参照して、実施の形態に係るプロジェクタの構成を説明する。
【００１７】
図１は、プロジェクタの構成を示す図（外観斜視図）である。プロジェクタは、キャビネット１を備えている。キャビネット１は、上下に薄く前後に長い略直方体形状を有しており、その側面には、キャビネット１内部に外気を吸排気するためのスリット５ａ、５ｂが形成されている。
【００１８】
キャビネット１の上面には、操作ボタン部３が配されている。また、キャビネット１内には、光学エンジン２および冷却装置４ａ、４ｂが配されている。光学エンジン２は、映像信号により変調された光（映像光）を生成する。光学エンジン２には、投写レンズ６（図１には図示せず）が装着されており、投写レンズ６の前部が、キャビネット１の前面から露出している。光学エンジン２で生成された映像光は、投写レンズ６によって、プロジェクタ前方に配されたスクリーン面に投写される。冷却装置５ａ、５ｂは、スリット５ａ、５ｂを介して外気を吸排気し、この外気を冷却風として光学エンジン２に供給する。
【００１９】
キャビネット１の上面には、蓋１ａが回動可能に装着されている。キャビネット１内には、２つのランプユニット１０ａ、１０ｂが配されており、蓋１ａを開放することにより、これらランプユニット１０ａ、１０ｂが交換可能となる。
【００２０】
図２および図３は、蓋１ａを開放した状態のプロジェクタの斜視図および上面図である。キャビネット１の蓋１ａ部分には２つのランプ収容部１ｂ、１ｃが配されており、これら２つのランプ収容部１ｂ、１ｃにそれぞれランプユニット１０ａ、１０ｂが収容されている。なお、これら２つのランプ収容部１ｂ、１ｃの間に後述のミラーユニット１０ｃが配されている。また、キャビネット１上面のミラーユニット１０ｃの配置位置には、中央に孔を有する円形の凹部１ｄが形成されており、この凹部１０ｄの孔からミラーユニット１０ｃの軸５０２ａの先端部が外部に突出している。
【００２１】
図４は、光学エンジンの構成を示す図である。同図において、１０は、２つのランプユニット１０ａ、１０ｂとミラーユニット１０ｃを有する照明装置である。ランプユニット１０ａ、１０ｂは、超高圧水銀ランプ、メタルハライドランプ、キセノンランプ等からなるランプを有している。ランプユニット１０ａ、１０ｂからの光は、リフレクタの作用により略平行光となって出射される。
【００２２】
ミラーユニット１０ｃには、同図Ｘ−Ｚ平面に平行に回動可能なミラーが配されている。ミラーは、ランプユニット１０ａの起動時にはランプユニット１０ａからの光をフライアイインテグレータ１１へと導き、ランプユニット１０ｂの起動時にはランプユニット１０ｂからの光をフライアイインテグレータ１１へと導くよう回動される。ミラーユニット１０ｃの構成は、追って、図５ないし図７を参照して説明する。
【００２３】
照明装置１０からの光は、フライアイインテグレータ１１を介して、ＰＢＳ（偏光ビームスプリッタ）アレイ１２およびコンデンサレンズ１３に入射される。フライアイインテグレータ１１は、蝿の目状のレンズ群からなる第１および第２のフライアイレンズを備え、液晶パネル１８、２４、３３に入射する際の光量分布が均一となるよう、照明装置１０から入射される光に光学作用を付与する。
【００２４】
ＰＢＳアレイ１２は、複数のＰＢＳと１／２波長板がアレイ状に配列されたものであり、フライアイインテグレータ１１から入射された光の偏光方向を一方向に揃える。コンデンサレンズ１３は、ＰＢＳアレイ１３から入射された光に集光作用を付与する。コンデンサレンズ１３を透過した光は、ダイクロイックミラー１４に入射する。
【００２５】
ダイクロイックミラー１４は、コンデンサレンズ１３から入射された光のうち、青色波長帯の光（以下、「Ｂ光」という）のみを透過し、赤色波長帯の光（以下、「Ｒ光」という）と緑色波長帯の光（以下、「Ｇ光」という）を反射する。ダイクロイックミラー１４を透過したＢ光は、ミラー１５よって反射されコンデンサレンズ１６に入射される。
【００２６】
コンデンサレンズ１６は、Ｂ光が略平行光で液晶パネル１８に入射するよう、Ｂ光に光学作用を付与する。コンデンサレンズ１６を透過したＢ光は、入射側偏光板１７を介して液晶パネル１８に入射される。液晶パネル１８は、青色用の映像信号に応じて駆動され、その駆動状態に応じてＢ光を変調する。液晶パネル１８によって変調されたＢ光は、出射側偏光板１９を介して、ダイクロイックプリズム２０に入射される。
【００２７】
ダイクロイックミラー１４によって反射された光のうちＧ光は、ダイクロイックミラー２１によって反射され、コンデンサレンズ２２に入射される。コンデンサレンズ２２は、Ｇ光が略平行光で液晶パネル２４に入射するよう、Ｇ光に光学作用を付与する。コンデンサレンズ２２を透過したＧ光は、入射側偏光板２３を介して液晶パネル２４に入射される。液晶パネル２４は、緑色用の映像信号に応じて駆動され、その駆動状態に応じてＧ光を変調する。液晶パネル２４によって変調されたＧ光は、出射側偏光板２５を介して、ダイクロイックプリズム２０に入射される。
【００２８】
ダイクロイックミラー２１を透過したＲ光は、コンデンサレンズ２６に入射される。コンデンサレンズ２６は、Ｒ光が略平行光で液晶パネル３３に入射するよう、Ｒ光に光学作用を付与する。コンデンサレンズ２６を透過したＲ光は、光路長調整用のリレーレンズ２７、２９、３１と２つのミラー２８、３０からなる光路を進み、入射側偏光板３２を介して液晶パネル３３に入射される。液晶パネル３３は、赤色用の映像信号に応じて駆動され、その駆動状態に応じてＲ光を変調する。液晶パネル３３によって変調されたＲ光は、出射側偏光板３４を介して、ダイクロイックプリズム２０に入射される。
【００２９】
ダイクロイックプリズム２０は、液晶パネル１８、２４、３３によって変調されたＢ光、Ｇ光およびＲ光を色合成し、投写レンズ６５へと入射させる。投写レンズ６５は、投写光を被投写面上に結像させるためのレンズ群と、これらレンズ群の一部を光軸方向に変位させて投写画像のズーム状態およびフォーカス状態を調整するためのアクチュエータを備えている。ダイクロイックプリズム２０によって色合成された光は、投写レンズ６によって、スクリーン上に拡大投写される。
【００３０】
次に、図５ないし図７を参照して、ミラーユニット１０ｃの構成について説明する。
【００３１】
図５は、ミラーユニット１０ｃの分解斜視図である。図示の如く、ミラーユニット１０ｃは、ベース１００と、ミラーホルダ２００と、調節板３００と、基板４００と、駆動部５００を備えている。
【００３２】
ベース１００は、上板部１０１、下板部１０２、背板部１０３および２つの壁部１０４を備えている。これら上板部１０１、下板部１０２、背板部１０３および２つの壁部１０４は、一体形成されている。また、２つの壁部１０４の間には、上板部１０１へと繋がる凹部１０５が配されている。
【００３３】
上板部１０１には、ミラーホルダ２０２の軸受け２０４と係合する軸穴１０６と、ミラーホルダ２０２の突起２０５が移動する円弧状のガイド孔１０７と、上板部１０１の側面から軸穴１０６へと続く直線状のガイド孔１０８が形成されている。また、上板部１０８の上面には、ボスとネジ穴を有する２つのボス１０９が形成されている。これら２つのボス１０９には、基板４００が装着される。
【００３４】
下板部１０２は、上板部１０１と平行となっている。下板部１０２には、上板部１０１の軸穴１０６と同軸となる位置に、ミラーホルダ２００の軸２０３と係合する軸穴１１０が形成されている。
【００３５】
２つの壁部１０４と背板部１０３の内側面には、調節板３００よりやや大きめの輪郭の凹部１１１が形成されている。この凹部１１１に、調節板３００が嵌め込まれネジ止めされる。また、２つの壁部１０４の外側面には、調節ネジ３０１と螺合するネジ穴１１２が形成されている。これらネジ穴１１２は、それぞれ、壁部１０４内側面の凹部１１１へと貫通している。さらに、２つの壁部１０４の外側面には、ボスとネジ穴を有する２つのボス１１３が形成されている。これら２つのボス１１３には、カバー５０６が装着される。
【００３６】
なお、２つの壁部１０４は、ミラーユニット１０ｃが図２の光学エンジンに配置されたときに、各内側面が、それぞれ、ランプユニット１０ａ、１０ｂからの光の進行方向に対して略４５°の角度で傾くように形成されている。
【００３７】
ミラーホルダ２００には、ミラー２０１が装着されている。また、ミラーホルダ２００の上面には、軸２０２が突設されている。また、ミラーホルダ２００の下面には、軸２０２と同軸となる位置に、軸２０３が突設されている。軸２０２には、軸穴１０６に回動自在に軸支される軸受け２０４が装着される。さらに、ミラーホルダ２００の上面には、突起２０５が形成されている。突起２０５は、ミラーホルダ２００が回動終端位置にあるときに、基板４００下面には配設された検出スイッチ４０１、４０２に当たって検出スイッチ４０１、４０２をＯＮする。また、ミラーホルダ２００の下面には、鉤部２０６が形成されている。
【００３８】
調節板３００は、弾性のある金属性の薄板からなっており、２つの壁部１０４と背板部１０３の内側面に沿う形状よりもやや左右の板部３００ａ、３００ｂが接近した形状となっている。
【００３９】
基板４００には、下面に２つの検出スイッチ４０１、４０２が装着されている。基板４００は、２つの角部に配された孔をボス１０９の突部に係合させた状態で、ネジ４０３によってボス１０９に装着される。検出スイッチ４０１、４０２は、ミラーホルダ２００が回動終端位置にあるときに、ミラーホルダ２００上面の突起２０５に押されてＯＮされる。
【００４０】
駆動部５００は、トルクリミッタ５０２が配されたギア５０１と、ギア５０３と、モータ５０４と、モータ５０４の駆動軸に装着されたギア５０５と、カバー５０６を備えている。ギア５０３には、２つのギア部５０３ａ、５０３ｂが形成され、さらに、左右の端部には軸５０３ｃ、５０３ｄが形成されている。また、カバー５０６には、トルクリミッタ５０２の軸５０２ａ（図６参照）と係合する軸穴５０６ａと、ギア５０３の軸５０３ｃ、５０３ｄとそれぞれ係合する軸穴５０６ｂ、５０６ｃが形成されている。カバー５０６は、ネジ５０７によってボス１１３に装着される。このとき、カバー５０６に形成された２つの孔５０６ｄが、上板部１０１上面に形成された突部１１４に係合する。
【００４１】
ミラーユニット１０ｃの組み立て時には、まず、調節板３００が、凹部１１１に装着される。調節板３００は、凹部１１１に嵌め込まれた状態で中央部が背板部１０３にネジ止めされる。上記の如く、調節板３００は、２つの壁部１０４と背板部１０３の内側面に沿う形状よりもやや左右の板部３００ａ、３００ｂが接近した形状となっている。よって、このように調節板３００の中央部が凹部１１１にネジ止めされると、左右の板部３００ａ、３００ｂが撓んで凹部１１１に押し付けられるようになる。この状態において、調節板３００の表面は、２つの壁部１０４および背板１０３の内側面と略面一になっている。
【００４２】
しかる後、２つの調節ネジ３０１がネジ穴１１２に螺合される。調節ネジ３０１の回転を進めると、調節ネジ３０１の先端が調節板３００の内側面に当接する。その後、さらに回転を進めると、調節ネジ３０１に先端に押されて調節板３００が撓む。２つの調節ネジ３０１の回転量を調節することにより、板部３００ａ、３００ｂの変位量を調節することができる。
【００４３】
次に、ミラーホルダ２００が、以下のようにしてベース１００に取り付けられる。すなわち、上板部１０１に形成されたガイド孔１０８からガイド孔１０７に沿って突起２０５を移動させつつ、さらに、軸受け２０４の下方の軸２０２をガイド孔１０８から軸穴１０６へと移動させる。そして、ミラーホルダ２００を下方へ移動させて軸２０３を下板部１０２の軸穴１１０に係合させると共に、軸受け２０４を軸穴１０６に係合させる。こうして、ミラーホルダ２００が上板部１０１と下板部１０２の間に回動自在に取り付けられる。
【００４４】
その後、駆動部５００が取り付けられる。まず、ミラーホルダ２００の軸２０２がトルクリミッタ５０２に取り付けられる。また、モータ５０４が凹部１０５に収容されるようにして背板部１０３に装着される。さらに、軸５０３ｃ、５０３ｄをそれぞれ軸穴５０６ｂ、５０６ｃに係合させて、ギア５０３がカバー５０６に装着される。そして、ギア部５０３ａ、５０３ｂがそれぞれギア５０５、５０１に螺合するよう、カバー５０６がネジ５０７によってボス１１３に螺着される。
【００４５】
しかる後、基板４００がボス１０９にネジ止めされる。このとき、基板４００に配された２つの検出スイッチ４０１、４０２は、ガイド孔１０７の両端近傍位置に位置づけられる。
【００４６】
最後に、図６（ａ）に示すように、下板部１０２の裏側にコイルバネ６００が装着される。なお、図６（ａ）および（ｂ）は、それぞれ、組み立て状態のミラーユニットの底面図および上面図である。なお、便宜上、図６（ｂ）では、カバー５０６が図示省略されている。
【００４７】
コイルバネ６００は、ミラーホルダ２００の下面に形成された鉤部２０６と下板部１０２の裏面に形成された鉤部１１５の間に両端が係止されるようにしてミラーユニット１０ｃに取り付けられる。ここで、鉤部１１５とミラーホルダ２００の軸との位置関係は、同図（ａ）に示すとおりである。
【００４８】
なお、同図（ａ）の状態では、鉤部２０５がコイルバネ６００により引っ張られ、ミラーホルダ２００は、コイルバネ６００から反時計方向の力を受ける。これにより、ミラーホルダ２００の背面が一方の壁部１０４に押し付けられる。このとき、調節ネジ３０１によって調節板３００の板部３００ａが凹部１１１から持ち上げられていれば、ミラーホルダ２００の背面は、板部３００ａに押し付けられる。
【００４９】
同図（ａ）の状態からミラーホルダ２００が時計方向に回転し、鉤部２０６の位置が、鉤部１１５と軸２０３を結ぶ直線を超えると、ミラーホルダ２００は、コイルバネ６００から時計方向の力を受ける。その後、ミラーホルダ２００が時計方向に回転し、背面が他方の壁部１０４に当接する位置に来ると、コイルバネ６００による引っ張り力によって、ミラーホルダ２００の背面が他方の壁部１０４に押し付けられる。このとき、調節ネジ３０１によって、調節板３００の板部３００ｂが凹部１１１から持ち上げられていれば、ミラーホルダ２００の背面は、板部３００ｂに押し付けられる。
【００５０】
ミラーホルダ２００の回動終了位置は、調整ネジ３０１による板部３００ａ、３００ｂの持ち上げ量によって調整され得る。ミラーユニット１０ｃが図４に示す光学エンジンに組み込まれた際には、各ランプユニット１０ａ、１０ｂからの光がともにフライアイインテグレータ１１に適正に向かうよう、調整ネジ３０１による板部３００ａ、３００ｂの持ち上げ量が調整される。
【００５１】
図６（ｃ）は、トルクリミッタ５０２の構成を示す断面図である。なお、同図は、図７（ａ）の組み立て状態におけるトルクリミッタ５０２近傍のＡ−Ａ’断面図である。
【００５２】
トルクリミッタ５０２は、下端に軸受け５０２ｂを有する軸５０２ａと、コイルバネ５０２ｃと、３つのワッシャ５０２ｄ、５０２ｅ、５０２ｆを備えている。軸受け５０２ｂは、ミラーホルダ２００の軸２０２に係合する。軸２０２の上端は、図６（ｄ）に示す如く、円柱形状の一部を平面状に切り欠いた形状となっており、軸受け５０２ｂの内面形状は軸２０２の上端に係合する形状となっている。
【００５３】
ギア５０１は、断面がＨ形状となっており中心に軸５０２ａよりやや大きい穴が形成されている。この穴に軸５０２ａが挿入されている。ギア５０１は、上下から２つのワッシャ５０２ｅ、５０２ｆによって挟まれている。軸５０２ａの上端は、上記の如く、カバー５０６に軸穴５０６ａに係合している。カバー５０６とワッシャ５０２ｅの間には、ワッシャ５０２ｄを介してコイルバネ５０２ｃが配されている。コイルバネ５０２ｃは、圧縮された状態で、ワッシャ５０２ｄ、５０２ｅ間に介挿されている。よって、ギア５０１は、コイルバネ５０２ｃによって軸受け５０２ｂの上面に押し付けられている。
【００５４】
ギア５０１が回転すると、ギア５０１とワッシャ５０２ｅおよびワッシャ５０２ｆとの間の摩擦力によって軸５０２ａが回転する。これにより、軸受け５０２ｂに係合した軸２０２が回動され、これに伴い、ミラーホルダ２００が回転される。一方、たとえば、ミラーホルダ２００の背面が調節板３００に当接した後、さらにギア５０１が回動されるような場合には、ギア５０１がワッシャ５０２ｅおよびワッシャ５０２ｆに対して滑り、ギア５０１のみが回動する。このように、トルクリミッタ５０２は、ギア５０１とワッシャ５０２ｆとの間の静止摩擦力の範囲においてのみ、ギア５０１の駆動力を軸２０２に伝達する。
【００５５】
なお、軸５０２ａの端部には、図６（ｂ）に示す如く、上面をすり割り形状に切り欠いた切り欠き５０２ｇが形成されている。この切り欠きの方向によって、ユーザは、後述の如く、ミラー２０１が２つのランプユニット１０ａ、１０ｂの何れに向き合っているか、すなわち、現在、何れのランプユニットが使用状態にあるかを見分けることができる。
【００５６】
図７は、組み立て状態のミラーユニット１０ｃの構成を示す図である。ミラーユニット１０ｃは、同図（ａ）に示すように、ミラーホルダ２００の背面が調節板３００の板部３００ａに当接する位置にあるときにミラー２０１がランプユニット１０ｂに向けられるよう配置される。このとき、ランプユニット１０ｂからの光は、ミラー２０１によってＤ方向に反射されて、フライアイインテグレータ１１へと導かれる。なお、同図（ａ）の状態において、ミラー２０１は、ランプユニット１０ｂからの光の進行方向に対してＸ−Ｚ平面方向に略４５°傾いた状態にある。また、ミラーホルダ２００の軸２０２、２０３は、Ｚ軸に平行となっている。
【００５７】
この状態から、同図（ｂ）に示すように、ミラーホルダ２００の背面が調節板３００の板部３００ｂ（同図には図示せず）に当接するまでミラーホルダ２００が回転すると、ミラー２０１がランプユニット１０ａに向けられる位置に位置づけられる。このとき、ランプユニット１０ａからの光は、同図（ａ）の場合と同様、ミラー２０１によってＤ方向に反射されて、フライアイインテグレータ１１へと導かれる。この状態において、ミラー２０１は、ランプユニット１０ａからの光の進行方向に対してＸ−Ｚ平面方向に略４５°傾いた状態にある。
【００５８】
上記のように、ミラー２０１による光の反射方向は、調節ネジ３０１を調節することにより調節可能である。ミラーユニット１０ｃが光学エンジン２に組み込まれたときには、ランプユニット１０ａ、１０ｂからの光が、何れもＤ方向に向かい、フライアイインテグレータ１１に適正に入射するよう、調節ネジ３０１が調節される。
【００５９】
同図（ａ）の状態から同図（ｂ）の状態にミラーホルダ２００が回動される場合には、基板４００上の検出スイッチ４０１がＯＮとなった後も、一定期間の間、モータ５０４が駆動され続ける。この期間において、ミラーホルダ２００が調節板３００の板部３００ｂに当接すると、その後は、トルクリミッタ５０２が空転し、ミラーホルダ２００が調節板３００の板部３００ｂに押し付けられる。この駆動制御により、ミラーホルダ２００は、板部３００ｂに当接する位置に確実に位置づけられる。
【００６０】
同様に、同図（ｂ）の状態から同図（ａ）の状態にミラーホルダ２００が回動される場合には、基板４００上の検出スイッチ４０２がＯＮとなった後も、一定期間の間、モータ５０４が駆動され続ける。これにより、ミラーホルダ２００は、板部３００ａに当接する位置に確実に位置づけられる。
【００６１】
なお、軸５０２ａの先端に形成された切り欠き５０２ｇのすり割り方向は、ミラー２０１に平行となっている。ミラーホルダ２００が回動されると、これに伴い軸５０２ａが回動し、切り欠き５０２ｇが回動する。ミラーホルダ１０ｃがキャビネット１に装着されると、図２および図３に示す如く、軸５０２ａの先端が、キャビネット１上面の凹部１ｄ中央の孔から外部に突出する。
【００６２】
本実施の形態において、ミラーユニット１０ｃは、投写動作が終了してプロジェクタがスタンバイ状態になり、あるいはその後、電源がＯＦＦされても、駆動されることなく投写動作時の状態がそのまま維持される。すなわち、投写動作終了後、ミラーホルダ２００は、コイルバネ６００等の作用によって、投写動作中の位置に位置づけられ続ける。
【００６３】
図８は、ミラーホルダ２００が図７（ａ）の位置（ランプユニット１０ｂの使用位置）にあるときの凹部１ｄ周辺の拡大図である。
【００６４】
図示の如く、キャビネット１の上面には、凹部１ｄの周囲に、２つの表示部１ｅ、１ｆが配されている。これら表示部１ｅ、１ｆには、“ＬＡＭＰ１”と“ＬＡＭＰ２”の文字と、これら文字へと繋がるメモリがエンボス加工されている。
【００６５】
また、ランプ収容部１ｂ、１ｃの近傍には、これらランプ収容部１ｂ、１ｃに収容されているランプユニットがそれぞれ表示部１ｅ、１ｆに記載の“ＬＡＭＰ１”と“ＬＡＭＰ２”に対応することを示す表示部１ｇ、１ｈが配されている。すなわち、これら表示部１ｇ、１ｈにも、“ＬＡＭＰ１”と“ＬＡＭＰ２”の文字がエンボス加工されている。
【００６６】
ミラーホルダ２００が図７（ａ）の位置にあるときは、図示の如く、切り欠き５０２ｇのすり割り方向が“ＬＡＭＰ２”のメモリを指すようになる。これを見てユーザは、現在ランプユニット１０ｂが使用状態にあることを知ることができる。
【００６７】
図９は、ミラーホルダ２００が図７（ｂ）の位置（ランプユニット１０ａの使用位置）にあるときの凹部１ｄ周辺の拡大図である。この場合、切り欠き５０２ｇのすり割り方向は“ＬＡＭＰ１”のメモリを指すようになる。これを見てユーザは、現在ランプユニット１０ａが使用状態にあることを知ることができる。
【００６８】
以上、本実施の形態によれば、切り欠き５０２ｇが表示部１ｇ、１ｈの何れを指示しているかによって使用状態にあるランプユニットが特定されるため、ユーザは、電源を投入せずとも、現在使用状態にあるランプユニットを容易に識別することができる。なお、この効果は、上記の如く、投写動作終了後に、ミラーユニット１０ｃの状態が投写動作中の状態に維持される場合に奏され得るものであって、投写動作終了後にミラーが予め決められた位置（たとえば、ランプユニット１０ａに向き合う位置）に必ず戻されるように制御される場合には、この効果は奏され得ない。
【００６９】
また、本実施の形態によれば、切り欠き５０２ｇを軸５０２ａの先端に形成するといった簡素な構成にて、かかる効果を実現することができる。すなわち、部品点数の増加なく、ランプユニットの使用状況をユーザに報知することができる。
【００７０】
また、本実施の形態によれば、蓋１ａによって覆われる位置に、切り欠き５０２ｇと表示部１ｇ、１ｈが配されているため、ユーザは、ランプユニットの交換時に蓋１ａを開けることを契機として切り欠き５０２ｇと表示部１ｇ、１ｈを見ることができ、ランプユニット交換時に円滑に現在使用状態にあるランプユニットを知ることができる。
【００７１】
以上、本発明の実施の形態について説明したが、本発明は、上記実施の形態に制限されるものではなく、また、本発明の実施の形態も上記以外に種々の変更が可能である。
【００７２】
たとえば、上記実施の形態では、軸５０２ａに形成された切り欠き５０２ｇによって表示部１ｇ、１ｈを指し示すようにしたが、切り欠き５０２ｇ以外の構成にて、表示部１ｇ、１ｈを指し示すようにしても良い。
【００７３】
図１０は、表示部１ｇ、１ｈを指し示すための他の構成例を示す図である。同図中の（ａ−１）〜（ｄ−１）および（ａ−２）〜（ｄ−２）において、上段には軸５０２ａの上面図が示され、下段には、上段に示す軸５０２ａを同図右側から見たときの側面図が示されている。また、図中の破線矢印は、切り欠き５０２ｇ等が指し示す方向を示している。
【００７４】
図１０の（ａ−１）には、上記実施の形態における軸５０２ａと切り欠き５０２ｇが示されている。ここでは、軸５０２ａの上面をすり割り状に切り欠いて切り欠き５０２ｇが形成されてが、同図（ａ−２）のように、軸５０２ｇの上面に突条５０２ｈを形成するようにしても良い。あるいは、同図（ｂ−１）のように、切り欠き５０２ｉの断面形状をＶ字状としても良く、また、同図（ｂ−２）のように、突条５０２ｊの断面形状をＶ字状としても良い。
【００７５】
さらには、同図（ｃ−１）のように、軸５０２ａの上面の中央から側面に向かって直線状に凹部５０２ｋを形成するようにしても良い。この場合、凹部５０２ｋが指し示す方向は、同図（ｃ−１）に破線矢印で示す方向となる。あるいは、同図（ｃ−２）のように、軸５０２ａの上面の中央から側面に向かって直線状に突部５０２ｍを形成するようにしても良い。この場合、突部５０２ｍが指し示す方向は、同図（ｃ−１）に破線矢印で示す方向となる。
【００７６】
また、同図（ｄ−１）のように、軸５０２ａの上面の中央から側面に向かってずれた位置に凹部５０２ｎを形成するようにしても良い。この場合、凹部５０２ｎが指し示す方向は、同図（ｄ−１）に破線矢印で示す方向となる。あるいは、同図（ｄ−２）のように、軸５０２ａの上面の中央から側面に向かってずれた位置に突部５０２ｐを形成するようにしても良い。この場合、突部５０２ｐが指し示す方向は、同図（ｃ−１）に破線矢印で示す方向となる。
【００７７】
この他、ユーザにおいて指し示す方向を理解できるような形状であれば、如何なる形状を軸５０２ａに形成しても良い。なお、図１０に示す構成例のうち、（ａ−１）の構成例とすると、ミラーユニット１０ｃの動作に支障が生じたときに、切り欠き５０２ｇにドライバーを差し込んで手動でミラーユニット１０ｃを駆動させることができる。
【００７８】
また、図１０の各構成例においては、指し示す方向がより分かり易くなるように、凹部または突部に色を付しても良い。さらに、このように、指し示す方向が分かる形状を軸５０２ａに配する方法に替えて、軸５０２ａの上面に、指し示す方向が分かる模様等を描くようにしても良い。
【００７９】
なお、本実施の形態では、切り欠き５０２ｇを凹部１ｄの孔から外部に突出させるようにしたが、切り欠き５０２ｇ等はこのように突出させずとも、外部からその指し示す方向が分かるようになっていれば良い。すなわち、切り欠き５０２ｇ等は、キャビネット１の内部にあって、孔を介して外部から見えるようになっていても良い。この場合、孔に窓が配されていても良い。
【００８０】
さらに、図１１に示すように、軸５０２ａの先端に、表示部１ｅ、１ｆを指し示すための指示部材７００を装着するようにしても良い。こうすると、上記実施の形態に比べて部品点数は増加するが、何れのランプユニットが使用状態にあるかがより分かり易くなる。
【００８１】
また、上記実施の形態では、ランプユニット１０ａ、１０ｂと切り欠き５０２ｇおよび表示部１ｅ、１ｆを同時に覆うように蓋１ａが配置されたが、ランプ収容部１ｂ、１ｃをそれぞれ個別に覆うように２つの蓋を配するようにしても良い。この場合、切り欠き５０２ｇと表示部１ｅ、１ｆがこれら２つの蓋によって覆われないようにしても良い。
【００８２】
また、上記実施の形態では、ランプユニット１０ａ、１０ｂが互いに対向するよう光学エンジン２を構成したが、たとえば、図１２に示すように、ランプユニット１０ａ、１０ｂからの光を、Ｘ方向に対して傾く方向から、ミラーユニット１０ｃに入射させるようにしても良い。
【００８３】
なお、図１３に示す照明装置１０の構成部分は、プロジェクタ以外にも、照明光の照射ないし供給を必要とする他の装置に適宜適用可能である。
【００８４】
本発明の実施の形態は、特許請求の範囲に示された技術的思想の範囲内において、適宜、種々の変更が可能である。
【図面の簡単な説明】
【００８５】
【図１】実施の形態に係るプロジェクタの概観を示す斜視図
【図２】実施の形態に係るプロジェクタの概観を示す斜視図
【図３】実施の形態に係るプロジェクタの概観を示す上面図
【図４】実施の形態に係る光学エンジンの構成を示す図
【図５】実施の形態に係るミラーユニットの構成を示す分解斜視図
【図６】実施の形態に係るミラーユニットの構成を示す底面図および上面図とトルクリミッタの構成を示す断面図。
【図７】実施の形態に係るミラーユニットの構成を示す図
【図８】実施の形態に係るミラーユニット周辺の一部拡大図
【図９】実施の形態に係るミラーユニット周辺の一部拡大図
【図１０】実施の形態に係るミラー回動軸上面の形状の変更例を示す図
【図１１】実施の形態に係るミラー回動軸上面の構成の変更例を示す図
【図１２】実施の形態に係る光学エンジンの変更例を示す図
【図１３】実施の形態に係る照明装置の構成部分を示す上面図
【符号の説明】
【００８６】
１  …  キャビネット
１ａ  …  蓋
１ｂ、１ｃ  …  ランプ収容部（第１の収容部と第２の収容部）
１ｅ、１ｆ  …  表示部（第１の表示、第２の表示）
１０  …  照明装置
１０ａ、１０ｂ  …  ランプユニット（第１の光源、第２の光源）
１８、２４、３３  …  液晶パネル（光変調素子）
５０２ａ  …  軸（回動軸）
５０２ｇ  …  切り欠き（指示部）
７００  …  指示部材
【図１】
2010135153.tif 000003
【図２】
2010135153.tif 000004
【図３】
2010135153.tif 000005
【図４】
2010135153.tif 000006
【図５】
2010135153.tif 000007
【図６】
2010135153.tif 000008
【図７】
2010135153.tif 000009
【図８】
2010135153.tif 000010
【図９】
2010135153.tif 000011
【図１０】
2010135153.tif 000012
【図１１】
2010135153.tif 000013
【図１２】
2010135153.tif 000014
【図１３】
2010135153.tif 000015